(57)【特許請求の範囲】
【請求項１】
一分子中にオキシエチレン単位を平均５０個〜１５０個有するポリオキシエチレンアルキルエーテル（Ａ）の存在下で、メチルアクリレート及び／又はエチルアクリレートである単量体（Ｂ）をエチレン性不飽和単量体類の合計量に対して３０〜９０重量％含有し、かつ炭素原子数８〜１５のアルキル基を有するアルキル（メタ）アクリレートである単量体（Ｃ）を１〜１０重量％含有するエチレン性不飽和単量体類を乳化重合することを特徴とする紙加工用樹脂エマルジョンの製造方法であって、前記紙加工用樹脂エマルジョンに用いるコポリマーが、−２０〜２０℃の範囲の計算ガラス転移温度を有することを特徴とする紙加工用樹脂エマルジョンの製造方法。
【請求項２】
前記ポリオキシエチレンアルキルエーテル（Ａ）がポリオキシエチレンデシルエーテルである、請求項１に記載の紙加工用樹脂エマルジョンの製造方法。
【請求項３】
前記エチレン性不飽和単量体類が、更にブチル（メタ）アクリレート（Ｄ）を含有するものである請求項１に記載の紙加工用樹脂エマルジョンの製造方法。
【請求項４】
前記ポリオキシエチレンアルキルエーテル（Ａ）を、前記エチレン性不飽和単量体の合計１００重量部に対して、５〜８重量部の範囲で存在させる請求項１〜３のいずれか一項に記載の紙加工用樹脂エマルジョンの製造方法。
【発明の詳細な説明】
【技術分野】
【０００１】
本発明は、原紙に、例えば含浸法、コーティング法、スプレー法などの公知の加工方法により付着させ乾燥させて用いる紙加工用樹脂エマルジョンであり、加工時のサイズプレス性や、加工後の紙に強度と耐熱黄変性などの優れた特性を付与する新規な紙加工用樹脂エマルジョンの製造方法に関する。
【背景技術】
【０００２】
一般に、コピー用紙、フォーム用紙、レポート用紙、メモ用紙、計測記録紙、伝票などの多様な用途に用いられる加工紙は、原紙に樹脂エマルジョンを付着させた後、乾燥させたものが用いられている。
【０００３】
原紙に樹脂エマルジョンを含浸法、コーティング法、スプレー法などの加工方法にて付着させる場合、樹脂エマルジョンの加工時のサイズプレス性が劣ると、加工紙に付着物が多量に発生し、生産効率の低下や加工紙の品質不良などの原因となるため、優れたサイズプレス性を有する紙加工用樹脂エマルジョンの開発が切望されていた。
【０００４】
このような要求に応えるために、繰り返し単位としてアクリロニトリル反応残基を１〜１０重量％、分子量が少なくとも１００である非イオン性親水性基を側鎖として有するモノエチレン性不飽和モノマーの反応残基を０．１〜８重量％含有し、メタアクリル酸メチル反応残基またはエチレン性不飽和アミド反応残基のいずれかの量が５重量％以下であるポリマーを含む紙用組成物が提案されている（例えば、特許文献１参照。）。
しかしながら、特許文献１で得られる乳化重合体は、これを含浸させて加工紙を製造する際のサイズプレス性などの機械的安定性が向上してはいるが未だ不十分であり、また、加工紙の耐熱黄変性及び強度などの特性も未だ不満足なものであった。
【特許文献１】特開平９−３２４３９３号公報
【発明の開示】
【発明が解決しようとする課題】
【０００５】
本発明の目的は、原紙に、例えば含浸法、コーティング法、スプレー法などの公知の加工方法により付着させ乾燥させて用いる紙加工用樹脂エマルジョンであり、加工時のサイズプレス性や、加工後の紙に強度と耐熱黄変性などの優れた特性を付与する新規な紙加工用樹脂エマルジョンの製造方法を提供することである。
【課題を解決するための手段】
【０００６】
本発明者らは、上記課題を解決すべく鋭意研究を重ねた結果、乳化剤として特定のポリオキシエチレンアルキルエーテルの存在下で、メチルアクリレート及び／又はエチルアクリレートを必須成分として含有するエチレン性不飽和単量体を乳化重合する紙加工用エマルジョンの製造方法により、加工時のサイズプレス性や、加工後の紙に強度と耐熱黄変性などの優れた特性を付与する新規な紙加工用樹脂エマルジョンが得られることを見出し、本発明を完成するに到った。
【０００７】
即ち、本発明は、一分子中にオキシエチレン単位を平均５０個〜１５０個有するポリオキシエチレンアルキルエーテル（Ａ）の存在下で、メチルアクリレート及び／又はエチルアクリレートである単量体（Ｂ）をエチレン性不飽和単量体類の合計量に対して３０〜９０重量％含有し、かつ炭素原子数８〜１５のアルキル基を有するアルキル（メタ）アクリレートである単量体（Ｃ）を１〜１０重量％含有するエチレン性不飽和単量体類を乳化重合することを特徴とする紙加工用樹脂エマルジョンの製造方法であって、前記紙加工用樹脂エマルジョンに用いるコポリマーが、−２０〜２０℃の範囲の計算ガラス転移温度を有することを特徴とする紙加工用樹脂エマルジョンの製造方法、を提供するものである。
【発明の効果】
【０００８】
本発明の紙加工用樹脂エマルジョンの製造方法によれば、保水性に優れており、含浸法、コーティング法、スプレー法などの従来の加工方法において、たとえ長時間の加工工程であっても、生産効率の低下、製造工程トラブル、或いは品質不良などの原因となる凝集物の発生がなく、安定した加工が可能であり、その結果、加工時のサイズプレス性や、得られる加工紙の強度と耐熱黄変性などの特性の改良に極めて有効である。
【発明を実施するための最良の形態】
【０００９】
本発明を実施するにあたり、必要な事項を以下に詳細に述べる。
【００１０】
本発明の紙加工用樹脂エマルジョンの製造方法において、乳化剤として用いるポリオキシエチレンアルキルエーテル（Ａ）のオキシエチレン単位は、一分子中に平均５０個以上であり、好ましくは平均５０〜１５０個の範囲であり、より好ましくは平均８０〜１１０個の範囲である。
【００１１】
前記ポリオキシエチレンアルキルエーテル（Ａ）のオキシエチレン単位が、平均５０個未満であるならば、樹脂エマルジョン中の親水性成分が少なすぎて保水性の保持が困難となり、紙の加工時に凝集物が発生しやすくなり、生産効率の著しい低下や加工紙の品質不良などを招くおそれがある。
【００１２】
尚、本発明で必須に用いる前記ポリオキシエチレンアルキルエーテル（Ａ）とは、一分子中にオキシエチレン単位〔-(ＣＨ２ＣＨ２Ｏ)-〕を平均５０個以上有し、且つ、分子末端にアルキルエーテル基を有する乳化剤のことを総称する。
【００１３】
また、前記ポリオキシエチレンアルキルエーテル（Ａ）が有する、分子末端のアルキルエーテル基の炭素原子数は、好ましくは８〜１８の範囲、より好ましくは１０〜１３の範囲であり、直鎖構造のものでも分岐構造のものでもよく、特に限定しないが、例えばオクチル基、デシル基、イソデシル基、ラウリル基、トリデシル基、ミリスチル基、オレイル基、ステアリル基等が挙げられ、これらの中でも、重合安定性の点からデシル基が好ましい。
【００１４】
更に、前記ポリオキシエチレンアルキルエーテル（Ａ）は、一分子中にポリオキシエチレン単位と共に、例えばポリオキシプロピレン単位などを代表とするその他のポリオキシアルキレン単位を、非イオン性の親水性基として、本発明の目的を阻害しない範囲で共存させてもよい。
【００１５】
前記ポリオキシエチレンアルキルエーテル（Ａ）の使用量は、樹脂エマルジョンの製造に用いるコポリマーの原料であるエチレン性不飽和単量体類の合計１００重量部に対して、３〜１０重量部の範囲であり、好ましくは５〜８重量部の範囲である。
前記ポリオキシエチレンアルキルエーテル（Ａ）の使用量がかかる範囲であれば、サイズプレス性に優れ、樹脂の粘度が適度となり、含浸法などの加工適性に優れ、製造工程トラブルを生じない。
【００１６】
本発明では、前記ポリオキシエチレンアルキルエーテル（Ａ）の存在下で、メチルアクリレート及び／又はエチルアクリレート（Ｂ）を必須成分として含有するエチレン性不飽和単量体類を乳化重合するが、共重合性に優れ、且つ残存モノマーの臭気が少なく環境に配慮されることから、エチルアクリレートの使用がより好ましい。
【００１７】
前記メチルアクリレート及び／又はエチルアクリレート（Ｂ）には、その他のエチレン性不飽和単量体類を、本発明の目的を逸脱しない範囲で併用してもよい。
【００１８】
必須成分である前記メチルアクリレート及び／又はエチルアクリレート（Ｂ）と併用可能なその他のエチレン性不飽和単量体類とは、特に限定せず、例えばフェニル（メタ）アクリレート、ベンジル（メタ）アクリレート、スチレン等の芳香環を有するビニル化合物、あるいはメチルメタクリレート、エチルメタクリレート、プロピル（メタ）アクリレート、ブチル（メタ）アクリレート等の（メタ）アクリル酸エステル類、あるいは２，２，３，３−ペンタフルオロエチル（メタ）アクリレート、２，２，３，３−ペンタフルオロプロピル（メタ）アクリレート、β−（パーフルオロオクチル）エチル（メタ）アクリレート等のフッ素含有エチレン性不飽和単量体、あるいはグリシジル（メタ）アクリレート、アリルグリシジルエーテル等のグリシジル基含有重合性単量体、あるいはアミノエチル（メタ）アクリレート、Ｎ−モノアルキルアミノアルキル（メタ）アクリレート、Ｎ，Ｎ’−ジアルキルアミノアルキル（メタ）アクリレート等のアミノ基含有重合性単量体等が挙げられ、これらは単独使用でもよく２種以上を用いてもよい。
【００１９】
更に、本発明の紙加工用樹脂エマルジョンの製造方法では、エチレン性不飽和単量体類として、メチルアクリレート及び／又はエチルアクリレート（Ｂ）と共に、炭素原子数８〜１５のアルキル基を有するアルキル（メタ）アクリレート（Ｃ）を用いることが好ましい。
【００２０】
メチルアクリレート及び／又はエチルアクリレート（Ｂ）と共に、前記炭素原子数８〜１５のアルキル基を有するアルキル（メタ）アクリレート（Ｃ）を併用することにより、疎水基の会合結合により保水性が発現され、サイズプレス性が一層向上できる。
【００２１】
前記炭素原子数８〜１５のアルキル基を有するアルキル（メタ）アクリレート（Ｃ）としては、例えば、２−エチルヘキシルアクリレート、ラウリルアクリレートなどのアルキル基の炭素原子数８〜１５のアクリル酸エステル、及び２−エチルヘキシルメタクリレート、ラウリルメタクリレート、アルキルメタクリレート（アクリエステルＳＬ、三菱レイヨン株式会社製、炭素原子数１２と１３のアルキル基を有するアルキルメタクリレートの混合物）、トリデシルメタクリレートなどのアルキル基の炭素原子数８〜１５のメタクリル酸エステルなどが挙げられ、これらは単独使用でもよく２種以上を併用してもよい。
これらの中でも、共重合性及び重合安定性が良好であることから、アルキルメタクリレートが好ましい。
【００２２】
前記メチルアクリレート及び／又はエチルアクリレート（Ｂ）及び前記炭素原子数８〜１５のアルキル基を有するアルキル（メタ）アクリレート（Ｃ）には、前記したその他のエチレン性不飽和単量体類を、本発明の目的を逸脱しない範囲で必要に応じて併用してもよい。
【００２３】
前記エチレン性不飽和単量体類の合計量に対する単量体（Ｂ）、単量体（Ｃ）及びその他のエチレン性不飽和単量体類の含有率は、単量体（Ｂ）が３０〜９０重量％、単量体（Ｃ）が１〜１０重量％、及びその他のエチレン性不飽和単量体が０〜６９重量％であり、好ましくは単量体（Ｂ）が５０〜７０重量％、単量体（Ｃ）が５〜８重量％、及びその他のエチレン性不飽和単量体が２５〜４２重量％の範囲である。
【００２４】
更に、前記紙加工用樹脂エマルジョンに用いるコポリマーには、エチレン性不飽和単量体類として、メチルアクリレート及び／又はエチルアクリレート（Ｂ）と炭素原子数８〜１５のアルキル基を有するアルキル（メタ）アクリレート（Ｃ）と共に、ブチル（メタ）アクリレート（Ｄ）を用いることができる。
【００２５】
前記ブチル（メタ）アクリレート（Ｄ）を併用することにより、共重合性及び重合安定性が向上すると共に、特にコポリマーのガラス転移温度の調整に効果的に働き、より広範囲の用途への適用が可能になる。
【００２６】
前記エチレン性不飽和単量体類の合計量に対する単量体（Ｂ）、単量体（Ｃ）及び（Ｄ）の含有率は、単量体（Ｂ）が３０〜９０重量％、単量体（Ｃ）が１〜１０重量％、単量体（Ｄ）が９〜６０重量％であり、好ましくは単量体（Ｂ）が５０〜７０重量％、単量体（Ｃ）が５〜８重量％、単量体（Ｄ）が２５〜４２重量％の範囲である。
【００２７】
この場合も前記したその他のエチレン性不飽和単量体類を、本発明の目的を逸脱しない範囲で必要に応じて併用してもよい。
【００２８】
前記紙加工用樹脂エマルジョンに用いるコポリマーにおいて、メチルアクリレート及び／又はエチルアクリレート（Ｂ）の含有率が、３０重量％未満の場合には、親水性が不十分となり保水性の確保が困難になると共にサイズプレス性に劣り、一方、９０重量％を超える場合には、ポリマーのガラス転移温度（Ｔｇ）の調整が困難になり広範囲の紙への適用が困難になり、好ましくない。
【００２９】
前記紙加工用樹脂エマルジョンに用いるコポリマーにおいて、炭素原子数８〜１５のアルキル基を有するアルキル（メタ）アクリレート（Ｃ）の含有率が、１重量％未満の場合には、疎水基が少ないので疎水基の会合結合よる保水性の発現を起こし難く、一方、１０重量％を超える場合には、共重合時の反応性が低下し重合安定性に劣り、好ましくない。
【００３０】
また、前記紙加工用樹脂エマルジョンに用いるコポリマーにおいて、前記アルキル（メタ）アクリレート（Ｃ）のアルキル基の炭素原子数は８〜１５の範囲であり、アルキル基の炭素原子数がかかる範囲であれば、共重合時の反応性が適度となり、且つ重合安定性に優れる。
【００３１】
前記紙加工用樹脂エマルジョンに用いるコポリマーにおいて、ブチル（メタ）アクリレート（Ｄ）の含有率が、９〜６０重量％の範囲の場合には、ガラス転移温度（Ｔｇ）の調整が容易になり、且つ適度な量の親水性成分を有し保水性を保持でき、サイズプレス性に優れる。
【００３２】
前記紙加工用樹脂エマルジョンに用いるコポリマーの原料としては、付加重合可能なエチレン性不飽和結合を有する任意の化合物を使用することができ、例えば各種の（メタ）アクリル酸エステル、あるいは（メタ）アクリル酸、イタコン酸等の酸モノマー、あるいはエチレングリコール（メタ）アクリレート、エチレングリコールジ（メタ）アクリレート、ジエチレングリコールジ（メタ）アクリレート、トリメチロールプロパントリメタクリレート、ジアリルフタレート等の多官能性不飽和モノマーなどを用いることもできる。
【００３３】
前記紙加工用樹脂エマルジョンに用いるコポリマーは、公知の方法により合成することができ、重合方法については特に限定しないが、中でもエマルジョン重合が好ましい。
【００３４】
前記紙加工用樹脂エマルジョンに用いるコポリマーは、−２０〜２０℃の範囲の計算ガラス転移温度（計算Ｔｇ）を有する。
【００３５】
前記紙加工用樹脂エマルジョンに用いるコポリマーの計算ガラス転移温度（計算Ｔｇ）がかかる範囲にあれば、加工紙に適度な柔軟性及び加工紙の巻き取り時における優れたブロッキング防止性を共に付与でき、例えばＰＰＣ用紙（Paper Photo Copy）等の加工紙に極めて有用である。
【００３６】
また、前記紙加工用樹脂エマルジョンに用いるコポリマーが、比較的広範囲の低温領域（−２０〜２０℃）の計算ガラス転移温度（計算Ｔｇ）を有することにより、柔軟性に富む紙へ適用した場合でも優れたサイズプレス性を発揮できる。
【００３７】
前記紙加工用樹脂エマルジョンに用いるコポリマーの計算ガラス転移温度（計算Ｔｇ）は、下記計算式〔１〕で算出できる。
【００３８】
１／計算Ｔｇ ＝ Ｗ１／Ｔｇ(１) ＋ Ｗ２／Ｔｇ(２)・・・計算式〔１〕
【００３９】
尚、計算式〔１〕において、Ｗ１及びＷ２はコポリマーを構成する成分１及び成分２である各ポリマーの重量分率を意味し、また、Ｔｇ(１)及びＴｇ(２)は成分１及び成分２のホモポリマーのガラス転移温度（文献値、単位は絶対温度）を表す。
【００４０】
本発明で採用した代表的なホモポリマーのガラス転移温度の文献値を表１に示す。
参考文献；J.Brandup, E.H.Immergut，E.A.Grulke : Polymer Handbook：JOHNWILEY & SONS,INC
【００４１】
【表１】
0004766311.tif 000002
【００４２】
本発明の製造方法で得られる紙加工用樹脂エマルジョンを用いた紙の加工方法は、本発明の紙加工用樹脂エマルジョンに含有される樹脂が紙に付着し得る加工方法であれば、特に限定せず、例えば含浸機あるいは抄紙機などによる含浸法、コーティング法、スプレー法、サイズプレス法などの公知の各種加工方法が挙げられる。
【００４３】
本発明の製造方法で得られる紙加工用樹脂エマルジョンを適用する原紙としては、特に限定せず、例えば木材のパルプ紙、木材パルプを主体とした紙、レーヨンなどの再生繊維紙、アセテートなどの半合成紙、ポリビニルアルコールタイプ、ポリアミドタイプ、ポリアクリロニトリルタイプ、ポリエステルタイプなどの合成紙、ポリエチレン、ポリプロピレンなどの合成パルプを含有するものなどが挙げられる。
【００４４】
上記の原紙は、例えばサイズ剤、顔料、乾燥増強剤、あるいは湿潤強力剤等の各種処理剤にて、前処理しておいてもよく、特に限定はしない。
【実施例】
【００４５】
以下、本発明を実施例及び比較例により、一層具体的に説明するが、本発明の範囲はこれら実施例のみに限定されるものではない。
また、特に断らない限り、「％」は重量％を、「部」は重量部を夫々表すものとする。
尚、本発明で用いた測定方法及び評価方法は以下に記載の通りである。
【００４６】
〔樹脂エマルジョン中の分散粒子の平均粒子径の測定方法〕
樹脂エマルジョン中の分散粒子の平均粒子径（体積基準での５０％メジアン径）の値（単位；ｎｍ）を粒度分布測定装置（日機装株式会社製、マイクロトラックＵＰＡ型）にて測定した。
【００４７】
〔試験濾紙の強度の評価方法〕
試験濾紙の強度及び耐熱黄変性は、以下の方法に従い、濾紙に配合液を付着させ、試験濾紙を作成し、評価を行った。
（１）試験片の作成
固形分を水にて２０％に希釈調整し、マングル含浸付着方法で濾紙に付着加工し、下記乾燥条件にて乾燥後、得られた試験濾紙を用いて試験片（２．５ｃｍ×１０ｃｍ）を作成し、試験片の濾紙強度をドライ条件及びウェット条件にて測定した。
乾燥条件；熱風乾燥機中１００℃にて５分間乾燥後、次いで１２０℃にて１分間乾燥。
（２）濾紙強度の測定
ドライ条件での強度  ；試験片を乾燥直後に、引張り試験機にて速度３００ｍｍ／分で測定し、単位（ｋｇ／２．５ｃｍ）で表記した。
ウェット条件での強度；試験片を常温水に３０分浸漬後、引張り試験機にて速度３００ｍｍ／分で測定し、単位（ｋｇ／２．５ｃｍ）で表記した。
【００４８】
〔試験濾紙の耐熱黄変性の評価方法〕
前記した試験濾紙を用いて同様に試験片を作成し、熱風乾燥機中２００℃にて１０分間乾燥後の状態を目視観察し、下記の評価基準に従い評価した。
○；変化なし
△；微黄色に変色
×；クリーム色に変色
【００４９】
〔サイズプレス性の評価方法〕
使用機器；サイズプレス試験機（熊谷理機工業株式会社製）
試験方法；固形分を水にて２０％に希釈調整し、サイズプレス試験機のローラーを連続稼動させ、希釈液を４０℃に加温し、一定流量で循環させ、ローラーに付着物（スカム）が出るまでの時間を目視及び指触により判定した。
ローラーに付着物（スカム）が出るまでの時間（ｈｒ）を表１に示した。
【００５０】
〔乳化剤の種類〕
乳化剤の品名  注1)      組成  注2)    ＨＬＢ  注3)  ＥＯ付加モル数  注4)
ノイゲンＸＬ−５０      ＰＯＥＤＥ    １１．６            ５
ノイゲンＸＬ−１６０    ＰＯＥＤＥ    １６．３          １６
ノイゲンＸＬ−４００    ＰＯＥＤＥ    １８．４          ４０
ノイゲンＸＬ−１０００  ＰＯＥＤＥ    ２０．０        １００
【００５１】
注１）乳化剤のノイゲンＸＬ−５０、１６０、４００、１０００は何れも第一工業製薬株式会社製を使用した。
注２）ＰＯＥＤＥ；ポリオキシエチレンデシルエーテル
注３）ＨＬＢ；親水性親油性比
注４）ＥＯ  ；エチレンオキシド
【００５２】
〔参考例１〕
（１）乳化液の調製
容器に、乳化剤であるポリオキシエチレンアルキルエーテル（Ａ）としてノイゲンＸＬ−１０００〔第一工業製薬株式会社製〕２５部と、ノイゲンＸＬ−１６０〔第一工業製薬株式会社製〕５部、及び脱イオン水２２５部を入れ、均一に溶解した後、エチルアクリレート（Ｂ）４３０部、その他のエチレン性不飽和単量体としてメチルメタクリレート６０部、及び酸モノマーとしてアクリル酸５部、イタコン酸５部を加えて乳化を行い、乳化液を得た。
【００５３】
（２）樹脂エマルジョンの製造
攪拌機、還流冷却管、窒素導入管、温度計、及び滴下漏斗を備えた反応容器に、ノイゲンＸＬ−５０〔第一工業製薬株式会社製〕１．５部と、脱イオン水３５５部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）を添加し、０．１５％硫酸第一鉄水溶液３．２部を添加し、次いで前記（１）で調整した乳化液を１５．６部仕込み、６０℃に保ちながら３０分間重合させた。引き続き、残りの乳化液の全部と、過硫酸ナトリウム水溶液３６部（有効成分２．５％）、及びメタ重亜硫酸ソーダ水溶液３６部を、別々の滴下漏斗から反応温度を６０℃に保ちながら４時間かけて滴下して重合を行った。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、本発明の紙加工用の樹脂エマルジョンを得た。ここで得られた樹脂エマルジョンは、固形分濃度４５％、粘度１５０ｍＰａ・ｓ、分散粒子の平均粒子径は２５０ｎｍであり、計算Ｔｇ＝−８℃であった。
【００５４】
〔実施例２〕
（１）乳化液の調製
容器に、乳化剤であるポリオキシエチレンアルキルエーテル（Ａ）としてノイゲンＸＬ−１０００〔第一工業製薬株式会社製〕５０部と、ノイゲンＸＬ−１６０〔第一工業製薬株式会社製〕１０部、及び脱イオン水２２５部を入れ、均一に溶解した後、エチルアクリレート（Ｂ）４００部、その他のエチレン性不飽和単量体としてメチルメタクリレート６５部、酸モノマーとしてアクリル酸１０部、及びアクリエステルＳＬ〔三菱レイヨン株式会社製〕（Ｃ）２５部を加えて乳化を行い、乳化液を得た。
【００５５】
（２）樹脂エマルジョンの製造
攪拌機、還流冷却管、窒素導入管、温度計、及び滴下漏斗を備えた反応容器に、ノイゲンＸＬ−５０を１．５部と、脱イオン水３８５部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）を添加し、０．１５％硫酸第一鉄水溶液３．２部を添加し、次いで前記（１）で調整した乳化液を１５．６部仕込み、６０℃に保ちながら３０分間重合させた。引き続き、残りの乳化液の全部と、過硫酸ナトリウム水溶液３６部（有効成分２．５％）、及びメタ重亜硫酸ソーダ水溶液３６部を、別々の滴下漏斗から反応温度を６０℃に保ちながら４時間かけて滴下して重合を行った。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、本発明の紙加工用の樹脂エマルジョンを得た。ここで得られた樹脂エマルジョンは、固形分濃度４５％、粘度３００ｍＰａ・ｓ、分散粒子の平均粒子径は２５０ｎｍであり、計算Ｔｇ＝−１０℃であった。
【００５６】
〔実施例３〕
（１）乳化液の調製
容器に、乳化剤であるポリオキシエチレンアルキルエーテル（Ａ）としてノイゲンＸＬ−１０００〔第一工業製薬株式会社製〕２５部と、ノイゲンＸＬ−１６０〔第一工業製薬株式会社製〕５部、及び脱イオン水２２５部を入れ、均一に溶解した後、エチルアクリレート（Ｂ）２７５部、ブチルアクリレート（Ｄ）１３５部、その他のエチレン性不飽和単量体としてメチルメタクリレート５５部、酸モノマーとしてアクリル酸１０部、及びアクリエステルＳＬ〔三菱レイヨン株式会社製〕（Ｃ）２５部を加えて乳化を行い、乳化液を得た。
【００５７】
（２）樹脂エマルジョンの製造
攪拌機、還流冷却管、窒素導入管、温度計、及び滴下漏斗を備えた反応容器に、ノイゲンＸＬ−５０を１．５部と、脱イオン水３５５部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）を添加し、０．１５％硫酸第一鉄水溶液３．２部を添加し、次いで前記（１）で調整した乳化液を１５．６部仕込み、６０℃に保ちながら３０分間重合させた。引き続き、残りの乳化液の全部と、過硫酸ナトリウム水溶液３６部（有効成分２．５％）、及びメタ重亜硫酸ソーダ水溶液３６部を、別々の滴下漏斗から反応温度を６０℃に保ちながら４時間かけて滴下して重合を行った。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、本発明の紙加工用の樹脂エマルジョンを得た。ここで得られた樹脂エマルジョンは、固形分濃度４５％、粘度４００ｍＰａ・ｓ、分散粒子の平均粒子径は２５０ｎｍであり、計算Ｔｇ＝−１９℃であった。
【００５８】
〔比較例１〕
（１）乳化液の調製
容器に、乳化剤であるポリオキシエチレンアルキルエーテル（Ａ）としてノイゲンＸＬ−１０００〔第一工業製薬株式会社製〕１０部と、ノイゲンＸＬ−１６０〔第一工業製薬株式会社製〕５部、ノイゲンＸＬ−４００〔第一工業製薬株式会社製〕１５部、及び脱イオン水２２５部を入れ、均一に溶解した後、エチルアクリレート（Ｂ）５０部、ブチルアクリレート（Ｄ）３５０部、その他のエチレン性不飽和単量体としてメチルメタクリレート８５．５部、酸モノマーとしてアクリル酸１０部、及びアクリエステルＳＬ〔三菱レイヨン株式会社製〕（Ｃ）４．５部を加えて乳化を行い、乳化液を得た。
【００５９】
（２）樹脂エマルジョンの製造
攪拌機、還流冷却管、窒素導入管、温度計、及び滴下漏斗を備えた反応容器に、ノイゲンＸＬ−５０を１．５部と、脱イオン水３８５部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）を添加し、０．１５％硫酸第一鉄水溶液３．２部を添加し、次いで前記（１）で調整した乳化液を１５．６部仕込み、６０℃に保ちながら３０分間重合させた。引き続き、残りの乳化液の全部と、過硫酸ナトリウム水溶液３６部（有効成分２．５％）、及びメタ重亜硫酸ソーダ水溶液３６部を、別々の滴下漏斗から反応温度を６０℃に保ちながら４時間かけて滴下して重合を行った。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、本発明の紙加工用の樹脂エマルジョンを得た。ここで得られた樹脂エマルジョンは、固形分濃度４５％、粘度３００ｍＰａ・ｓ、分散粒子の平均粒子径は２５０ｎｍであり、計算Ｔｇ＝−２４℃であった。
【００６０】
〔比較例２〕
（１）乳化液の調製
容器に、乳化剤であるポリオキシエチレンアルキルエーテル（Ａ）としてノイゲンＸＬ−１０００〔第一工業製薬株式会社製〕１０部と、ノイゲンＸＬ−１６０〔第一工業製薬株式会社製〕５部、ノイゲンＸＬ−４００〔第一工業製薬株式会社製〕１５部、及び脱イオン水２２５部を入れ、均一に溶解した後、ブチルアクリレート（Ｄ）２８５部、その他のエチレン性不飽和単量体としてメチルメタクリレート２００．５部、酸モノマーとしてアクリル酸１０部、及びアクリエステルＳＬ〔三菱レイヨン株式会社製〕（Ｃ）４．５部を加えて乳化を行い、乳化液を得た。
【００６１】
（２）樹脂エマルジョンの製造
攪拌機、還流冷却管、窒素導入管、温度計、及び滴下漏斗を備えた反応容器に、ノイゲンＸＬ−５０を１．５部と、脱イオン水３５５部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）を添加し、０．１５％硫酸第一鉄水溶液３．２部を添加し、次いで前記（１）で調整した乳化液を１５．６部仕込み、６０℃に保ちながら３０分間重合させた。引き続き、残りの乳化液の全部と、過硫酸ナトリウム水溶液３６部（有効成分２．５％）、及びメタ重亜硫酸ソーダ水溶液３６部を、別々の滴下漏斗から反応温度を６０℃に保ちながら４時間かけて滴下して重合を行った。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、本発明の紙加工用の樹脂エマルジョンを得た。ここで得られた樹脂エマルジョンは、固形分濃度４５％、粘度２００ｍＰａ・ｓ、分散粒子の平均粒子径は２８０ｎｍであり、計算Ｔｇ＝０℃であった。
【００６２】
〔比較例３〕
（１）乳化液の調製
容器に、ポリオキシエチレンノニルフェニルエーテル硫酸アンモニウムの５８．０％溶液１．７２５部、ポリオキシエチレンノニルフェニルエーテルの７０％溶液１４．３部、ポリオキシエチレンアルキルベータメチルスチデニルエーテル（エチレングリコール付加モル数約５０）を５部、及び脱イオン水１８７．５部を入れ、均一に溶解した後、エチルアクリレート（Ｂ）２７１．５部、ブチルアクリレート（Ｄ）１９３．５部、アクリロニトリル２５部、及び酸モノマーとしてイタコン酸１０部を加えて乳化を行い、乳化液を得た。
【００６３】
（２）樹脂エマルジョンの製造
攪拌機、還流冷却管、窒素導入管、温度計、及び滴下漏斗を備えた反応容器に、脱イオン水２２９部を入れ、窒素を吹き込みながら６０℃まで昇温した。攪拌下、過硫酸ナトリウム水溶液４部（有効成分２．５％）とメタ重亜硫酸ソーダ水溶液４部（有効成分２．５％）と０．１５％硫酸第一鉄水溶液３．２部を添加し、次いで乳化液を１５．６部仕込み、６０℃を保ちながら３０分間重合させた。引き続き、残りの乳化液の全部と、過硫酸ナトリウム水溶液３６部（有効成分２．５％）メタ重亜硫酸ソーダ水溶液３６部を、別々の滴下漏斗を使用して反応温度を６０℃に保ちながら４時間かけて滴下して重合した。
滴下終了後、６０℃にて２時間攪拌した後、内容物を冷却し、ｐＨが７．０になるように水酸化ナトリウム水溶液（有効成分１０％）で調整した。これを２００メッシュ金網で濾過し、樹脂エマルジョンを得た。ここで得られた樹脂エマルジョンは、固形分濃度５５％、粘度８００ｍＰａ・ｓ、分散粒子の平均粒子径は２００ｎｍであり、計算Ｔｇ＝−２５℃であった。
【００６４】
【表２】
0004766311.tif 000003
【産業上の利用可能性】
【００６５】
本発明の紙加工用樹脂エマルジョンの製造方法は、加工紙を製造する際の付着物の発生がなく、加工時のサイズプレス性に優れ、加工紙に強度と耐熱黄変性などの優れた特性を付与する紙加工用樹脂エマルジョンを提供でき、かかる紙加工用樹脂エマルジョンを用いて得られる加工紙は、例えばコピー用紙、フォーム用紙、レポート・メモ用紙、計測記録紙、及び伝票など広範囲の用途に利用可能である。